(57)【要約】      （修正有）【課題】かさの小さい荷物もかさの大きい荷物にも適合できて自動車の走行時、シートから荷物の転がり落ちを防止する。【解決手段】フレーム１３に回転可能に支持される巻取り棒１４、および一端をそのフレーム１３側に、他端をその巻取り棒１４にそれぞれ止める巻取りスプリングなどで組み立てられ、そして、その巻取り棒１４をシート・クッション３１の左右方向に伸長させてそのフレーム１３でそのシート・クッション３１の前端下部３４、３４に取り付けられる巻取り装置１１と、引出し端に一対のヘッドレスト・ステー・フック１７、１７および一対のチャイルド・シート・アンカー・フック１８、１８を備え、巻付け端１６をその巻取り棒１４に固定的に止めてその巻取りスプリングでその巻取り棒１４に巻き上げられ、また、その巻取りスプリングに抗してその巻取り棒１４から引き出されて止められる帯状シート・カバー１２とを含む。【選択図】図１
2005065897.tif 000002
【特許請求の範囲】
【請求項１】
フレームに回転可能に支持される巻取り棒、および一端をそのフレーム側に、他端をその巻取り棒にそれぞれ止める巻取りスプリングなどで組み立てられ、そして、その巻取り棒をシート・クッションの左右方向に伸長させてそのフレームでそのシート・クッションの前端下部に取り付けられる巻取り装置と、引出し端に一対のヘッドレスト・ステー・フックおよび一対のチャイルド・シート・アンカー・フックを備え、巻付け端をその巻取り棒に固定的に止めてその巻取りスプリングでその巻取り棒に巻き上げられ、また、その巻取りスプリングに抗してその巻取り棒から引き出されてその一対のヘッドレスト・ステー・フックでヘッド・レストレインとの一対のステーに止められ、また、その一対のチャイルド・シート・アンカー・フックでそのシート・クッションの一対のチャイルド・シート・アンカーに止められる帯状シート・カバーとを含む収納型多目的シート・カバー。
【請求項２】
その巻取り装置が、そのシート・クッションのその前端下部に取り外し可能に取り付けられる請求項１に記載の収納型多目的シート・カバー。
【請求項３】
その帯状シート・カバーが、荷物押さえシート・カバーに作られる請求項１あるいは２に記載の収納型多目的シート・カバー。
【請求項４】
その帯状シート・カバーが、汚損防止シート・カバーに作られる請求項１あるいは２に記載の収納型多目的シート・カバー。
【請求項５】
その帯状シート・カバーが、通気性シート・カバーに作られる請求項１あるいは２に記載の収納型多目的シート・カバー。
【請求項６】
その帯状シート・カバーが、濡れ防止シート・カバーに作られる請求項１あるいは２に記載の収納型多目的シート・カバー。
【請求項７】
その帯状シート・カバーが、ヒーター付きシート・カバーに作られる請求項１あるいは２に記載の収納型多目的シート・カバー。
【請求項８】
フレームに回転可能に支持される巻取り棒、および一端をそのフレーム側に、他端をその巻取り棒にそれぞれ止める巻取りスプリングなどで組み立てられ、そして、その巻取り棒をシート・クッションの左右方向に伸長させてそのフレームでそのシート・クッションの前端下部に取り付けられる巻取り装置と、引出し端に一対のヘッドレスト・ステー・フックを、その引出し端からバック長さを離れて裏面におよび一対のチャイルド・シート・アンカー・フックをそれぞれ備え、そして、巻付け端をその巻取り棒に固定的に止めてその巻取りスプリングでその巻取り棒に巻き上げられ、また、その巻取りスプリングに抗してその巻取り棒から引き出されてその一対のヘッドレスト・ステー・フックでヘッド・レストレインとの一対のステーに止められ、または、その一対のチャイルド・シート・アンカー・フックでそのシート・クッションの一対のチャイルド・シート・アンカーに止められる帯状シート・カバーとを含む収納型多目的シート・カバー。
【請求項９】
その巻取り装置が、そのシート・クッションのその前端下部に取り外し可能に取り付けられる請求項８に記載の収納型多目的シート・カバー。
【請求項１０】
その帯状シート・カバーが、荷物押さえシート・カバーに作られる請求項８あるいは９に記載の収納型多目的シート・カバー。
【請求項１１】
その帯状シート・カバーが、汚損防止シート・カバーに作られる請求項８あるいは９に記載の収納型多目的シート・カバー。
【請求項１２】
その帯状シート・カバーが、通気性シート・カバーに作られる請求項８あるいは９に記載の収納型多目的シート・カバー。
【請求項１３】
その帯状シート・カバーが、濡れ防止シート・カバーに作られる請求項８あるいは９に記載の収納型多目的シート・カバー。
【請求項１４】
その帯状シート・カバーが、ヒーター付きシート・カバーに作られる請求項８あるいは９に記載の収納型多目的シート・カバー。
【発明の詳細な説明】
【技術分野】
【０００１】
この発明は、シートの上に荷物を置いて自動車を走行させたり、海水浴で濡れた状態で自動車に乗り込んだり、また、寒冷時に自動車に乗る場合などに適するように自動車のパッセンジャ・シートやリア・シートなどに用いるところの収納型多目的シート・カバーに関する。
【背景技術】
【０００２】
自動車は、パッセンジャ・シートやリア・シートの上に荷物を置いてしばしば走行される。その際にその荷物が転がり落ちたりするので、ホールド・カバーがそれらシートに備えられて荷物押さえに活用される。その種のホールド・カバーは、シート・クッションの下面から引き出されてそのシート・クッション上の荷物を覆い、そして、そのホールド・カバーの引出し端が面ファスナーでそのシート・クッションのリア・エンドに止められるので、そのホールド・カバーはかさが大きい荷物には適さない。
【特許文献１】実開昭５９−１７９７４１号公報
【発明の開示】
【発明が解決しようとする課題】
【０００３】
この発明の課題は、かさの小さい荷物にもかさの大きい荷物にも適合できて自動車の走行時、シートから荷物の転がり落ちを防止するところの収納型多目的シート・カバーの提供にある。
【０００４】
さらに、この発明の課題は、乗員が濡れた状態で自動車に乗り込んでシートに着座する場合や寒冷時に自動車に乗り込んだ直後の即暖房などに適合でき、また、高湿時には汗がべたつかずにシートに快適性が確保され、さらには、シートの汚損を防止するところの収納型多目的シート・カバーの提供にある。
【課題を解決するための手段】
【０００５】
この発明は、フレームに回転可能に支持される巻取り棒、および一端をそのフレーム側に、他端をその巻取り棒にそれぞれ止める巻取りスプリングなどで組み立てられ、そして、その巻取り棒をシート・クッションの左右方向に伸長させてそのフレームでそのシート・クッションの前端下部に取り付けられる巻取り装置と、引出し端に一対のヘッドレスト・ステー・フックおよび一対のチャイルド・シート・アンカー・フックを備え、巻付け端をその巻取り棒に固定的に止めてその巻取りスプリングでその巻取り棒に巻き上げられ、また、その巻取りスプリングに抗してその巻取り棒から引き出されてその一対のヘッドレスト・ステー・フックでヘッド・レストレインとの一対のステーに止められ、また、その一対のチャイルド・シート・アンカー・フックでそのシート・クッションの一対のチャイルド・シート・アンカーに止められる帯状シート・カバーとを含む。
【０００６】
また、この発明は、フレームに回転可能に支持される巻取り棒、および一端をそのフレーム側に、他端をその巻取り棒にそれぞれ止める巻取りスプリングなどで組み立てられ、そして、その巻取り棒をシート・クッションの左右の方向に伸長させてそのフレームでそのシート・クッションの前端下部に取り付けられる巻取り装置と、引出し端に一対のヘッドレスト・ステー・フックを、その引出し端からバック長さを離れて裏面に一対のチャイルド・シート・アンカー・フックをそれぞれ備え、そして、巻付け端をその巻取り棒に固定的に止めてその巻取りスプリングでその巻取り棒に巻き上げられ、また、その巻取りスプリングに抗してその巻取り棒から引き出されてその一対のヘッドレスト・ステー・フックでヘッド・レストレインとの一対のステーに止められ、または、その一対のチャイルド・シート・アンカー・フックでそのシート・クッションの一対のチャイルド・シート・アンカーに止められる帯状シート・カバーとを含む。
【発明の効果】
【０００７】
この発明では、通常は、その帯状シート・カバーがその巻取り装置に巻き上げられて収納され、そして、乗員は邪魔にならずに着座でき、また、シートの上に荷物を置いて自動車を運転する際、その帯状シート・カバーがその巻取り装置から引き出され、その一対のヘッドレスト・ステー・フックでそのヘッド・レストレイントのその一対のステーに止められ、また、その一対のチャイルド・シート・アンカー・フックでそのシート・クッションのその一対のチャイルド・シート・アンカーに止められてそのシートの上に置かれるかさの小さい荷物にも大きい荷物にも容易に適合する荷物押えができ、その自動車の走行時、その荷物がそのシートから転がり落ちることが未然に防止され、さらに、必要に応じてそのシートの汚損防止や濡れ防止に活用でき、また、ヒーターを組み込んで暖房に活用でき、そして、通気性ネットを用いて汗のべたつき防止などにも活用できてそのような多目的に応じた活用が可能になる。
【発明を実施するための最良の形態】
【０００８】
その巻取り装置が、そのフレームでそのシート・クッションのその前端下部に取り外し可能に取り付けられ、また、その帯状シート・カバーが、それの引出し端にその一対のヘッドレスト・ステー・フックおよび一対のチャイルド・シート・アンカー・フックを備えるかあるいはその引出し端にその一対のヘッドレスト・ステー・フックを、その引出し端からバック長さを離れてそれの裏面にその一対のチャイルド・シート・アンカー・フックをそれぞれ備える。勿論、その巻取り装置は、そのフレームがシート・カバー出し入れ口を開口する筒形ケーシングに置き換えられてもかまわない。
【実施例１】
【０００９】
以下、特定されて図示された具体例に基づいて、この発明の収納型多目的シート・カバーを説明するに、図１ないし図３は、乗用車のパッセンジャ・シート３０に活用されるところのこの発明の収納型多目的シート・カバーの具体例１０を示し、そして、そのパッセンジャ・シート３０は、左右のライザー３４、３４を備えるシート・クッション３１、左右のリクライニング・デバイス（図示せず）でそのシート・クッション３１に角度調整可能に支持されるシート・バック３２、およびそのシート・バック３２の一対のステー・ホルダー（図示せず）に一対のステー３５、３５を差し込んでそのシート・バック３２に取り外し可能に取り付けられるヘッド・レストレイント３３で組み立てられ、そして、そのシート・クッション３１のその左右のライザー３４、３４にシート・トラック３６を組付けてそのシート・トラック３６でその乗車のフロア４０に前後調整可能に据え付けられる。
【００１０】
その収納型多目的シート・カバー１０では、巻取り装置１１が、フレーム１３に回転可能に支持される巻取り棒１４、および一端をそのフレーム１３の側に、他端をその巻取り棒１４にそれぞれ止める巻取りスプリング（図示せず）などで組み立てられ、そして、その巻取り棒１４をそのシート・クッション３１の左右方向に伸長させてそのフレーム１３でそのシート・クッション３１の前端下部に取り外し可能に取り付けられ、また、帯状シート・カバー１２が、引出し端１５に一対のヘッドレスト・ステー・フック１７、１７および一対のチャイルド・シート・アンカー・フック１８、１８を備え、巻付け端１６をその巻取り棒１４に固定的に止めてその巻取りスプリングでその巻取り棒１４に巻き上げられて収納可能にされ、また、その巻取りスプリングに抗してその巻取り棒１４から引き出されてその一対のヘッドレスト・ステー・フック１７、１７でそのヘッド・レストレイント３３のその一対のステー３５、３５に止め可能にされ、また、その一対のチャイルド・シート・アンカー・フック１８、１８でそのシート・クッション３１の一対のチャイルド・シート・アンカー３７、３７に止め可能にされる。
【００１１】
その巻取り装置１１は、さらに引出し状態にその帯状シート・カバー１２を止めて置くロック機構（図示せず）を備え、そして、そのフレーム１３でその左右のライザー３４、３４の前端間に取り外し可能に取り付けられている。勿論、この巻取り装置１１は、そのフレーム１３がシート・カバー出し入れ口を開口筒形ケーシングに置き換えられてその筒形ケーシングにその巻取り棒１４を組み込んでもかまわない。
【００１２】
その帯状シート・カバー１２は、荷物押さえに適するように引張力の強い材料を用いて作られ、そして、撥水処理される。この帯状シート・カバー１２は、また、強い引張力を持つ３次元編みネットを用いる通気性シート・カバーに作られてもかまわないし、また、適宜の箇所にヒーター・マット（図示せず）を組み込むところのヒーター付きシート・カバーに作られてもかまわない。勿論、そのヒーター・マットはその通気性シート・カバーに組み込まれてもかまわない。
【００１３】
その帯状シート・カバー１２は、荷物押えシート・カバー、汚損防止シート・カバー、通気性シート・カバー、濡れ防止シート・カバー、およびヒーター付きシート・カバーのそれぞれに作られてもかまわないし、その巻取り装置１１が、その左右のライザー３４、３４の前端間に取り外し可能に取り付けられているので、そのように機能の異なるシート・カバー毎にその巻取り装置を組み合わせた複数種の収納型多目的シート・カバーが予め用意されるか、複数の機能を持つシート・カバー毎にその巻取り装置を組み合わせた複数種の収納型多目的シート・カバーが予め用意されると目的に応じて使い易くなる。
【００１４】
その一対のヘッドレスト・ステー・フック１７、１７および一対のチャイルド・シート・アンカー・フック１８、１８は、カバー・エンド・ガーニッシュ１９と一緒に硬質樹脂から一体的に成形され、そして、そのカバー・エンド・ガーニッシュ１９でその帯状シート・カバー１２のその引出し端１５に固定的に止められる。その一対のヘッドレスト・ステー・フック１７、１７はその帯状シート・カバー１２のカバー面の方向に、その一対のチャイルド・シート・アンカー・フック１８、１８はその帯状シート・カバー１２のそのカバー面に直交する方向にそれぞれ向けられてその対応するステー３５、３５およびチャイルド・シート・アンカー３７、３７にかみ合わせ易くしている。
【００１５】
したがって、この収納型多目的シート・カバー１０は、そのパッセンジャ・シート３０の上に荷物を置いてその乗用車を走行運転する際、かさの小さい荷物２０、２１には、その帯状シート・カバー１２が図１に示されたようにその巻取り装置１１から引き出され、その一対のチャイルド・シート・アンカー・フック１８、１８でそのシート・クッション３１のその一対のチャイルド・シート・アンカー３７、３７に止められてそのパッセンジャ・シート３０にその荷物２０、２１を押え付け、また、かさの大きい荷物２２には、その帯状シート・カバー１２が図２に示されたようにその巻取り装置１１から引き出され、その一対のヘッドレスト・ステー・フック１７、１７でそのヘッド・レストレイント３３のその一対のステー３５、３５に止められてそのパッセンジャ・シート３０にその荷物を押え付ける。
その乗用車の走行中やその乗用車の停車の際、その荷物２０、２１、２２はその帯状シート・カバー１２によってそのパッセンジャ・シート３０から転がり落ちずにそのパッセンジャ・シート３０上に押え付けられている。
【００１６】
この収納型多目的シート・カバー１０は、その帯状シート・カバー１２が汚損防止シート・カバーに作られると、汚損からそのパッセンジャ・シート３０を保護でき、また、その帯状シート・カバー１２が通気性シート・カバーに作られると、高湿時には汗がべたつかずに快適であり、さらに、その帯状シート・カバー１２が濡れ防止シート・カバーに作られると、乗員が海水浴で濡れていてもその濡れた状態でそのパッセンジャ・シート３０に着座でき、またさらに、その帯状シート・カバー１２が適宜の箇所にヒーター・マットを組み込むところのヒーター付きシート・カバーに作られると寒冷時にも乗員はその乗用車に乗車直後に即暖房されて快適である。そして、この収納型多目的シート・カバー１０では、その帯状シート・カバー１２が上述された機能の幾つかを兼ね備えるのが目的に対応できて望ましい。
また、この収納型多目的シート・カバー１０は、通常にはその帯状シート・カバー１２がその巻取り装置１１に巻き上げられて収納されているので、乗員は邪魔にならずにそのパッセンジャ・シート３０に円滑に着座可能になる。
【実施例２】
【００１７】
図４および図５は、乗用車のパッセンジャ・シート３０に活用されるところのこの発明の収納型多目的シート・カバーの具体例５０を示し、そして、この収納型多目的シート・カバー５０では、巻取り装置１１が、フレーム１３に回転可能に支持される巻取り棒１４、および一端をそのフレーム１３の側に、他端をその巻取り棒１４にそれぞれ止める巻取りスプリング（図示せず）などで組み立てられ、そして、その巻取り棒１４をシート・クッション３１の左右方向に伸長させてそのフレーム１３でそのシート・クッション３１の前端下部に取り外し可能に取り付けられ、また、帯状シート・カバー５１が、引出し端５３に一対のヘッドレスト・ステー・フック５５、５５を、その引出し端５３からバック長さを離れて裏面５２に一対のチャイルド・シート・アンカー・フック５６、５６をそれぞれ備え、そして、巻付け端５４をその巻取り棒１４に固定的に止めてその巻取りスプリングでその巻取り棒１４に巻き上げられ、また、その巻取りスプリングに抗してその巻取り棒１４から引き出されてその一対のヘッドレスト・ステー・フック５５、５５でヘッド・レストレイント３３の一対のステー３５、３５に止められ、または、その一対のチャイルド・シート・アンカー・フック５６、５６でそのシート・クッション３１の一対のチャイルド・シート・アンカー３７、３７に止められる。
【００１８】
その巻取り装置１１は、その前述された収納型多目的シート・カバー１０のその巻取り装置１１であり、また、その帯状シート・カバー５１はその前述された収納型多目的シート・カバー１０のその帯状シート・カバー１２のように、荷物押さえに適するように引張力の強い材料を用いて作られ、そして、撥水処理される。この帯状シート・カバー５１は強い引張力を持つ３次元編みネットを用いる通気性シート・カバーに作られてもかまわないし、また、そのシート・クッション３１およびシート・バック３２の適宜の箇所に対応する箇所にヒーター・マット（図示せず）を組み込むところのヒーター付きシート・カバーに作られてもかまわない。勿論、そのヒーター・マットはその通気性シート・カバーに組み込まれてもかまわない。さらに、その帯状シート・カバー５１は、その前述された収納型多目的シート・カバー１０のその帯状シート・カバー１２のように汚損防止シート・カバーや濡れ防止シート・カバーに作られる。
【００１９】
その一対のヘッドレスト・ステー・フック５５、５５は、カバー・エンド・ガーニッシュ５７と一緒に硬質樹脂から一体的に成形され、そして、そのカバー・エンド・ガーニッシュ５７でその帯状シート・カバー５１のその引出し端５３に固定的に止められる。一方、その一対のチャイルド・シート・アンカー・フック５６、５６は、硬質樹脂から別体に成形され、その引出し端５３からそのバック長さを離れて裏面５２に縫い付けられる。その一対のヘッドレスト・ステー・フック５５、５５はその帯状シート・カバー５１のカバー面の方向に、その一対のチャイルド・シート・アンカー５６、５６はその帯状シート・カバー５１のそのカバー面に直交する方向にそれぞれ向けられてその対応するステー３５、３５およびチャイルド・シート・アンカー３７、３７にかみ合わせ易くしている。
【００２０】
したがって、この収納型多目的シート・カバー５０は、その前述された収納型多目的シート・カバー１０と同様に活用される。特に、この収納型多目的シート・カバー５０はは、そのパッセンジャ・シート３０においてそのシート・クッション３１からそのシート・バック３２にわたってフィットできてより使い易くなる。
【００２１】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００２２】
上述から理解されるように、この発明の収納型多目的シート・カバーは、フレームに回転可能に支持される巻取り棒、および一端をそのフレーム側に、他端をその巻取り棒にそれぞれ止める巻取りスプリングなどで組み立てられ、そして、その巻取り棒をシート・クッションの左右方向に伸長させてそのフレームでそのシート・クッションの前端下部に取り付けられる巻取り装置と、引出し端に一対のヘッドレスト・ステー・フックおよび一対のチャイルド・シート・アンカー・フックを備え、巻付け端をその巻取り棒に固定的に止めてその巻取りスプリングでその巻取り棒に巻き上げられ、また、その巻取りスプリングに抗してその巻取り棒から引き出されてその一対のヘッドレスト・ステー・フックでヘッド・レストレインとの一対のステーに止められ、また、その一対のチャイルド・シート・アンカー・フックでそのシート・クッションの一対のチャイルド・シート・アンカーに止められる帯状シート・カバーとを含むので、この発明の収納型多目的シート・カバーでは、通常は、その帯状シート・カバーがその巻取り装置に巻き上げられて収納され、そして、乗員は邪魔にならずに着座でき、また、シートの上に荷物を置いて自動車を運転する際、その帯状シート・カバーがその巻取り装置から引き出され、その一対のヘッドレスト・ステー・フックでそのヘッド・レストレイントのその一対のステーに止められ、また、その一対のチャイルド・シート・アンカー・フックでそのシート・クッションのその一対のチャイルド・シート・アンカーに止められてそのシートの上に置かれるかさの小さい荷物にもかさの大きい荷物にも容易に適合する荷物押えができ、その自動車の走行時、その荷物がそのシートから転がり落ちることが未然に防止され、さらに、必要に応じてそのシートの汚損防止や濡れ防止に活用でき、また、ヒーターを組み込んで暖房に活用でき、そして、通気性ネットを用いて汗のべたつき防止などにも活用できてそのような多目的に対応可能になり、その結果、自動車にとって非常に有用で実用的である。
【図面の簡単な説明】
【００２３】
【図１】この発明の収納型多目的シート・カバーの具体例を活用してかさの小さい荷物を押さえるところの乗用車のパッセンジャ・シートを示した側面図である。
【図２】その収納型多目的シート・カバーを活用してかさの大きい荷物を押さえるところのその乗用車のパッセンジャ・シートを示した側面図である。
【図３】帯状シート・カバーの引出し端側を示した部分斜視図である。
【図４】さらに改善されたこの発明の収納型多目的シート・カバーの具体例を活用するところのその乗用車のパッセンジャ・シートを示した側面図である。
【図５】さらに改善された帯状シート・カバーの引出し端側を示した部分斜視図である。
【符号の説明】
【００２４】
１０  収納型多目的シート・カバー
１１  巻取り装置
１２  帯状シート・カバー
１３  フレーム
１４  巻取り棒
１５  引出し端
１６  巻付け端
１７  ヘッドレスト・ステー・フック
１８  チャイルド・シート・アンカー・フック
１９  カバー・エンド・ガーニッシュ
２０  かさの小さい荷物
２１  かさの小さい荷物
２２  かさの大きい荷物
３０  パッセンジャ・シート
３１  シート・クッション
３２  シート・バック
３３  ヘッドレストレイント
３５  ステー
３７  チャイルド・シート・アンカー
５０  収納型多目的シート・カバー
５１  帯状シート・カバー
５２  裏面
５３  引出し端
５４  巻付け端
５５  ヘッドレスト・ステー・フック
５６  チャイルド・シート・アンカー・フック
５７  カバー・エンド・ガーニッシュ
【図１】
2005065897.tif 000003
【図２】
2005065897.tif 000004
【図３】
2005065897.tif 000005
【図４】
2005065897.tif 000006
【図５】
2005065897.tif 000007